(57)【特許請求の範囲】
【請求項１】
アドレスが夫々設定された複数台の操作端末器及び制御端末器が信号線に分岐接続され、信号線に接続された伝送制御装置と上記各端末器との間で時分割多重の伝送信号を授受するとともに、上記伝送制御装置に設定した上記操作端末器と上記制御端末器のアドレスの対応関係を用いることにより、上記操作端末器に設けたスイッチの操作に応じたデータを含む伝送信号を上記対応関係で規定された上記制御端末器に伝送することにより該制御端末器に接続した負荷を制御する遠隔監視制御システムに用いられ、上記対応関係として、１つのスイッチに１回路の負荷を対応付ける個別制御関係と、１つのスイッチ操作で複数回路の負荷を一斉に同じ状態に動作させるグループ制御関係及び１つのスイッチ操作で複数回路の負荷を夫々の負荷毎に設定している状態に動作させるパターン制御関係とを設定する設定手段と、設定した内容を上記伝送制御装置に上記アドレスの対応関係の設定データとして上記信号線を介して転送させる手段とを備えたパターン・グループ設定器において、上記伝送制御装置が各アドレスをサイクリックに順次アクセスし、制御端末器に対するアクセス時には接続されている負荷の状態データを当該制御端末器から返信させ、当該制御端末器に対応関係のある操作端末器のアクセス時には負荷状態を表示させるための制御データを伝送制御装置から伝送する常時のポーリング動作を信号線上の伝送信号により監視し、伝送制御装置によるアクセス時に負荷状態が返信されない負荷を記憶し、パターン制御関係若しくはグループ制御関係の対象として上記設定手段で上記記憶した負荷が設定されたときに、当該負荷に対する設定を無効とすることを特徴とする遠隔監視制御システムのパターン・グループ設定器。
【請求項２】
上記伝送制御装置に格納されている動作プログラムのバージョンデータを上記伝送制御装置から伝送信号により送信させる要求を出すための手段と、パターン・グループ設定器自体の動作プログラムのバージョンを読み出させる手段とを備え、バージョンデータを含む伝送信号を受信したときに若しくはパターン・グループ設定器自体の動作プログラムのバージョンを読み出したときに、パターン・グループ設定用に設けた表示部に夫々のバージョンを表示させることを特徴とする請求項１記載の遠隔監視制御システムのパターン・グループ設定器。
【発明の詳細な説明】
【０００１】
【発明の属する技術分野】
本発明は、遠隔監視制御システムのパターン・グループ設定器に関するものである。
【０００２】
【従来の技術】
図６は時分割多重伝送信号を用いた遠隔監視制御システムの全体構成を示しており、このシステムでは伝送制御装置１に、２線式の信号線Ｌｓを介して、操作スイッチＳ１…を有する複数台の操作端末器２、照明負荷（以下、負荷と略す）４を制御する複数台の制御端末器３などが接続される。
【０００３】
操作端末器２及び制御端末器３にはそれぞれ個別のアドレス（個別アドレス）が設定され、この個別アドレスを用いて伝送制御装置１が操作端末器２並びに制御端末器３をアクセスする。
【０００４】
伝送制御装置１は信号線Ｌｓに対して、図７（ａ）に示すフォーマットの伝送信号Ｖｓを送出する。すなわち、この伝送信号Ｖｓは信号送出開始を示す同期信号ＳＹ、伝送信号Ｖｓのモードを示すモードデータＭＤ、操作端末器２や制御端末器３を各別に呼び出すためのアドレスデータＡＤ、負荷Ｌを制御する制御データＣＤ、伝送誤りを検出するためのチェックサムデータＣＳ、操作端末器２や制御端末器３からの返信信号（監視データ）を受信するタイムスロットである信号返信期間ＷＴよりなる双極性（±２４Ｖ）の時分割多重信号であり、パルス幅変調によってデータが伝送されるようになっている（図７（ｂ））。各操作端末器２及び各制御端末器３では、信号線Ｌｓを介して受信した伝送信号Ｖｓにより伝送されたアドレスデータＡＤが予め設定されているアドレスに一致すると、伝送信号Ｖｓから制御データＣＤを取り込むとともに、伝送信号Ｖｓの信号返信期間ＷＴに監視データを電流モード信号（信号線Ｌｓを適当な低インピーダンスを介して短絡することにより送出される信号）として返信する。
【０００５】
伝送制御装置１から所望の操作端末器２や制御端末器３にデータを伝送する場合には、モードデータＭＤを制御モードとし、操作端末器２または制御端末器３のアドレスをアドレスデータＡＤとする伝送信号Ｖｓを送出し、この伝送信号Ｖｓを信号線Ｌｓに送出すれば、アドレスデータＡＤに一致する操作端末器２または制御端末器３が制御データＣＤを受け取り、信号返信期間ＷＴに監視（状態）データを返信する。伝送制御装置１では送出した制御データＣＤと信号返信期間ＷＴに受信した監視データとの関係によって制御データＣＤが所望の操作端末器２または制御端末器３に伝送されたことを確認する。制御端末器３は受け取った制御データＣＤに従って負荷Ｌを制御するための負荷制御信号を出力し、操作端末器２では受け取った制御データＣＤに従って負荷Ｌの動作確認表示を行なうための表示信号を出力する。
【０００６】
一方、伝送制御装置１は通常時にはモードデータＭＤをダミーモードとした伝送信号Ｖｓを一定時間間隔で送出している（常時ポーリングという）。この場合、図８の（ａ）に示すようにある制御端末器３に対してアクセスして、負荷状態を示す監視データの返信を要求し、これに対してアクセスされた制御端末器３からは接続している負荷状態を監視データとして伝送制御装置１に返信する（図８（ｂ））。この返信を受け取った伝送制御装置１はこの制御端末器３に対応関係がある操作端末器２のアドレスをアクセスして対応する制御端末器３に接続されている負荷４の状態を表示させるための制御データＣＤを伝送制御装置から伝送する（図８（ｃ））。
【０００７】
このようにして常時ポーリングでは制御端末器３とこの制御端末器３に対応関係を持つ操作端末器２のアドレスをアクセスする動作をサイクリックに繰り返している。
【０００８】
そして常時ポーリング下で、伝送制御装置１に対して何らかの情報を伝送しようとするときには、ダミーモードの伝送信号Ｖｓの同期信号ＳＹに同期させて図７（ｃ）のような割込信号を発生させる。このとき、操作端末器２は割込フラグを設定して伝送制御装置１との以後の情報授受に備える。伝送制御装置１では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した操作端末器２では、割込ポーリングモードの伝送信号のアドレスデータＡＤの上位４ビットが操作端末器２に設定されているアドレスの上位４ビットに一致するときに、信号返信期間ＷＴにアドレスの下位４ビットを伝送制御装置１に返信する。このように、伝送制御装置１は割込信号を発生した操作端末器２を１６個ずつまとめて探すので、比較的短い時間で操作端末器２を発見することができる。
【０００９】
伝送制御装置１が割込信号を発生した操作端末器２のアドレスを獲得すると、モードデータＭＤを監視モードとし、獲得したアドレスデータＡＤを持つ伝送信号Ｖｓを信号線Ｌｓに送出するのであって、この伝送信号Ｖｓに対して操作端末器２は伝送しようとする情報を信号返信期間ＷＴに返信するのである。最後に、伝送制御装置１は割込信号を発生した操作端末器２に対して割込リセットを指示する信号を送出し、操作端末器２の割込フラグを解除する。以上のようにして、操作端末器２から伝送制御装置１への情報伝送は、伝送制御装置１から操作端末器２への４回の信号伝送（ダミーモード、割込ポーリングモード、監視モード、割込リセット）によって完了する。伝送制御装置１が所望の制御端末器３の動作状態を知ろうとするときには、モードデータＭＤを監視データとした伝送信号を送出するだけでよい。
【００１０】
しかして、スイッチＳ１…の操作により操作データが発生すると、操作端末器２から操作データを監視データとして伝送制御装置１に返信し、この操作データに基づいて生成した制御データＣＤを含む伝送信号Ｖｓを伝送制御装置１が制御端末器３に伝送すると、制御端末器３は照明負荷４を制御する。ここで、制御端末器３は監視データを伝送制御装置１に返信し、返信された監視データを基に動作状態表示のための制御データＣＤを含む伝送信号Ｖｓを操作端末器２に伝送する。この伝送信号Ｖｓによって操作端末器２では負荷４の動作状態を表示する表示灯（発光ダイオードなど）を点灯・消灯する。
【００１１】
【発明が解決しようとする課題】
ところでこのような遠隔監視制御システムに用いられる伝送制御装置１の動作プログラム（ソフトウェア）は、製造時期によってバージョンが異なっており、そのバージョンが異なった伝送制御装置１が市場に混在して出回っている。
【００１２】
そのため遠隔監視制御システムを構築する際、伝送制御装置の動作プログラムのバージョンに適合する各種端末器を選択したり、バージョンに合わせた機能を選択するためには伝送制御装置１の動作プログラムを知る必要がある。またトラブル発生時には、トラブルの原因解析のために使用している伝送制御装置１の動作プログラムのバージョンを知る必要がある。
【００１３】
しかし従来システムでは現場で使用状態で伝送制御装置１の動作プログラムののバージョンを知ることができず、そのため製造ロット番号と製造履歴からバージョンを判断していた。
【００１４】
一方この種の遠隔監視制御システムでは、上記対応関係として、１つのスイッチに１回路の負荷４を対応付ける個別制御関係と、１つのスイッチ操作で複数回路の負荷４を一斉に同じ状態に動作させるグループ制御関係及び１つのスイッチ操作で複数回路の負荷４を夫々の負荷４毎に設定している状態に動作させるパターン制御関係とを設定する設定手段と、設定した内容を上記伝送制御装置１に上記アドレスの対応関係の設定データとして上記信号線Ｌｓを介して転送させる手段とを備えたパターン・グループ設定器５が使用されることがあるが、上述の伝送制御装置１と同様に動作プログラムのバージョンが製造時期によって異なっており、そのためトラブル発生時などにおいて、原因解析のために伝送制御装置１と同様に製造ロット番号や、製造履歴から動作プログラムのバージョンを判断していた。
【００１５】
またこの種のパターン・グループ設定器５では、システムに接続されていないアドレスの制御端末器３に対応する負荷４もグループ制御やパターン制御対象として設定することができるようになっている。
【００１６】
しかし実際にシステムに接続されていない制御端末器３の負荷４をグループ制御やパターン制御の対象として選択した場合、グループ制御時或いはパターン制御時に伝送制御装置１から対象となる制御端末器３のアドレスをアクセスしても動作状態が返信されたないため、アクセスを繰り返しことになり、その分制御に要する時間が長くかかるという問題があった。
【００１７】
一方、グループ制御のためのスイッチＳａを設けた操作端末器２ａでは、グループ設定された対象負荷４が全てオンしたときに、伝送制御装置１からオン表示の制御データＣＤが送られてきてグループ制御中であることをＬＥＤ等の点灯で表示するようになっている。またパターン制御のためのスイッチＳｂを設けた操作端末器２ｂでは、パターン制御の対象となる負荷４がパターン通り動作したときに伝送制御装置１からオン表示の制御データＣＤが送られてきてパターン動作中であることをＬＥＤ等の点灯で表示するようになっている。
【００１８】
しかし、上記のように接続されていない制御端末器３の負荷４をグループ制御或いはパターン制御の対象として設定している場合、対応する制御端末器３から動作状態のデータが返信されてこないため、伝送制御装置１はグループ制御中であることを表示するための制御データＣＤや、パターン制御中であることを表示するための制御データＣＤを夫々に対応する操作端末器２ａや２ｂに伝送しない。従って実際の制御状態と、表示とが一致しないという問題があった。
【００１９】
本発明は、上述の点に鑑みて為されたもので、請求項１の発明では、システムに接続されていない制御端末器の負荷をパターン制御やグループ制御の設定から自動的に排除することができるパターン・グループ設定器を提供することにある。
【００２０】
また請求項２の発明では、請求項１の発明の目的に加えて、伝送制御装置の動作プログラムのバージョンや自己の動作プログラムのバージョンを使用状態で現場確認ができる遠隔監視制御システムのパターン・グループ設定器を提供することにある。
【００２１】
【課題を解決するための手段】
上記目的を達成するために、請求項１の発明では、アドレスが夫々設定された複数台の操作端末器及び制御端末器が信号線に分岐接続され、信号線に接続された伝送制御装置と上記各端末器との間で時分割多重の伝送信号を授受するとともに、上記伝送制御装置に設定した上記操作端末器と上記制御端末器のアドレスの対応関係を用いることにより、上記操作端末器に設けたスイッチの操作に応じたデータを含む伝送信号を上記対応関係で規定された上記制御端末器に伝送することにより該制御端末器に接続した負荷を制御する遠隔監視制御システムに用いられ、上記対応関係として、１つのスイッチに１回路の負荷を対応付ける個別制御関係と、１つのスイッチ操作で複数回路の負荷を一斉に同じ状態に動作させるグループ制御関係及び１つのスイッチ操作で複数回路の負荷を夫々の負荷毎に設定している状態に動作させるパターン制御関係とを設定する設定手段と、設定した内容を上記伝送制御装置に上記アドレスの対応関係の設定データとして上記信号線を介して転送させる手段を備えたパターン・グループ設定器において、上記伝送制御装置が各アドレスをサイクリックに順次アクセスし、制御端末器に対するアクセス時には接続されている負荷の状態データを当該制御端末器から返信させ、当該制御端末器に対応関係のある操作端末器のアクセス時には負荷状態を表示させるための制御データを伝送制御装置から伝送する常時のポーリング動作を信号線上の伝送信号により監視し、伝送制御装置によるアクセス時に負荷状態が返信されない負荷を記憶し、パターン制御関係若しくはグループ制御関係の対象として上記設定手段で上記記憶した負荷が設定されたときに、当該負荷に対する設定を無効とすることを特徴とする。
【００２２】
請求項２の発明では、請求項１の発明において、上記伝送制御装置に格納されている動作プログラムのバージョンデータを上記伝送制御装置から伝送信号により送信させる要求を出すための手段と、パターン・グループ設定器自体の動作プログラムのバージョンを読み出させる手段とを備え、バージョンデータを含む伝送信号を受信したときに若しくはパターン・グループ設定器自体の動作プログラムのバージョンを読み出したときに、パターン・グループ設定用に設けた表示部に夫々のバージョンを表示させることを特徴とする。
【００２３】
【発明の実施の形態】
以下本発明を実施形態により説明する。
【００２４】
本実施形態のパターン・グループ設定器は、複数台の操作端末器２の集合体に相当するセレクタスイッチ装置に組み合わせられたものであり、以下の実施形態の説明においてはセレクタスイッチ装置５と言う。
【００２５】
セレクタスイッチ装置５は図１に示すように基本的には端末機能部１０と表示操作機能部１１とからなり、端末機能部１０は主として伝送制御装置１との間の伝送信号Ｖｓの授受を行なう機能を有している。
【００２６】
すなわち、端末機能部１０は、マイクロプロセッサを内蔵した専用の集積回路よりなる信号処理部１２を備える。信号処理部１２は送受信回路１３を通して信号線Ｌｓに接続される。信号処理部１２は表示操作機能部１１によってデュアルポートＲＡＭ１４に設定された機能データ及びアドレスデータを用いて伝送制御装置１との間で伝送信号Ｖｓを授受する。機能データは、個別制御、グループ制御、パターン制御、調光制御の制御方法、並びにグループ制御におけるグループ表示方式とグループ制御方式を区別する。また、アドレスデータは伝送制御装置１との間で伝送信号Ｖｓを授受する際のアドレスとして用いられる。つまり、表示操作機能部１１から与えられる機能データ及びアドレスデータに基づいて各種の操作端末器２に相当する動作が可能になっているのであり、デュアルポートＲＡＭ１４はアドレス設定手段として機能することになる。端末機能部１０の上述の動作は表示操作機能部１１のプログラムメモリ１５に格納され且つ表示操作機能部１１からＲＡＭ１６に転送されたシステム（動作）プログラムに従って行われ、また伝送制御装置１や表示操作機能部１１との間で授受するデータはＲＡＭ１６に一時的に格納することができるようになっている。なお、信号処理部１２はマイクロプロセッサを内蔵しているから、動作用のクロック信号を発生するための発振回路１７も備えている。
【００２７】
表示操作機能部１１は、多数の絵素（ドット）をマトリクス状に配列した液晶表示器よりなるメイン表示部１８と、キャラクタ表示用の液晶表示器よりなる複数のサブ表示部１９と、いわゆるメンブレンスイッチからなる多数のスイッチを有するスイッチ操作部２０と、表示操作処理部３１とを備える。メイン表示部１８は表示用ドライバ回路２９を通して表示内容が制御され、同様にサブ表示部１９は表示用ドライバ回路３０を通して表示内容が制御される。表示操作処理部３１はマイクロコンピュータを主構成とし、プログラムメモリ１５に格納されたシステム（動作）プログラムに従って動作し、メイン表示部１８やサブ表示部１９等の動作を制御するとともに、スイッチ入力回路３２を介してスイッチ操作部２０の操作状態を監視するものである。ここで、上述した機能データやアドレスデータは、スイッチ操作部２０のキースイッチの操作によってデュアルポートＲＡＭ１４に格納されるのであり、スイッチ操作部２０が有する多数のキースイッチのうちの何れのキースイッチを操作したときにデュアルポートＲＡＭ１４のどのデータを採用するかは、表示操作処理部３１により決定される。なお、スイッチ操作部２０のスイッチには、モード選択手段として機能するキースイッチが含まれており、このキースイッチの操作により表示操作機能部１１をパターンやグループの設定モードとして動作させるか、操作モードとして機能させるかを選択できるようにしてある。
【００２８】
つまり、設定モードでは表示操作処理部３１の制御下で機能データやアドレスデータを設定し、操作モードではスイッチ操作部２０の各キースイッチの操作に応じて負荷４を制御する。ここで、設定モードで設定される機能データやアドレスデータは一旦フラッシュメモリからなるデータメモリ２１に格納される。
【００２９】
なお、２２は表示操作処理部３１が各種の作業を行う際に一時的にデータを保存するための作業用ＲＡＭである。さらに、表示操作処理部３１にはブザー回路２３を介して圧電ブザー２４が接続され、スイッチ操作部２０のキースイッチが操作された場合や何らかの誤操作があった場合にはブザー回路２３により圧電ブザー２４を鳴動させてスイッチ操作による入力を受け付けたことや誤操作があったことを音で報知する。
【００３０】
表示操作処理部３１はマイクロコンピュータを主構成とするから、動作用のクロック信号を発生するための発振回路２５、電源投入時に初期化するためのリセット回路２６も備えている。なお、セレクタスイッチ装置５は通常の操作端末器２に比べてかなり大きい電力を必要とするから、内部電源を信号線Ｌｓから得るのではなく、別途に給電される商用電源の交流１００Ｖをトランス２７で降圧（約７Ｖ）し、電源回路２８にて整流し且つ電圧安定化することによって例えば５Ｖの内部電源を得ている。
【００３１】
一方、セレクタスイッチ装置５は図２に示すような外観構造を有し、その器体４０は合成樹脂により矩形箱状に形成され、壁面に埋め込まれた埋込ボックスに取付金具（図示せず）を用いて取り付けられるものであり、矩形枠状のプレート４１によって取付金具が覆い隠されている。
【００３２】
器体４０の前面にはメイン表示部１８、多数（本実施形態では１６個）のサブ表示部１９、並びにスイッチ操作部２０が有する多数のキースイッチＫ１…の操作部が配設されている。ここで、図２に示すように器体４０の前面は端末操作エリアＡ１と設定操作エリアＡ２に２分されている。
【００３３】
端末操作エリアＡ１にはサブ表示部１９が４×４のマトリクス形に配置され、各サブ表示部１９の下方にそれぞれ４個ずつのキースイッチＫ１〜Ｋ６４が列設されている。ここで、セレクタスイッチ装置５が用いられる遠隔監視制御システムにおいては、１台の操作端末器２及び制御端末器３にて最大４回路の負荷制御が可能となるように、回路別を示す２ビットの負荷番号がアドレスデータに付加されており、各端末器２，３のアドレスがチャンネルと呼ばれ、チャンネルと負荷番号とがまとめてアドレスと呼ばれている。このため、１台で複数台の操作端末器として機能させるセレクタスイッチ機能においては、１つのサブ表示部１９と４個のキースイッチ（例えばＫ１〜Ｋ４）が１台の操作端末器に相当しており、１つのチャンネルが割り当てられたサブ表示部１９の４個のキースイッチＫ１…にそれぞれ１〜４の負荷番号が割り当てられる。なお、システムの仕様として１台の伝送制御装置１で最大２５６個の負荷４が制御可能であり、１台の端末器２，３で４回路の負荷制御が可能であるから、端末器２，３のアドレスは０ｃｈ〜６３ｃｈの６４個のチャンネルと１〜４の負荷番号の組み合わせで表される。例えば３−２であれば３ｃｈの負荷番号２、１６−１であれば１６ｃｈの負荷番号１というアドレスを表している。そして、互いに一対一に対応する操作端末器２と制御端末器３とは同チャンネルに設定することにより対応関係をわかりやすくしてある（実際にはチャンネルに合わせて操作端末器２か制御端末器３かの区別もしてある。たとえば、アドレスデータのうちの上位数ビットで操作端末器２か制御端末器３かの別を表し、下位数ビットをチャンネルとして用いる）。
【００３４】
ここで、本実施形態では１６個のサブ表示部１９で、１６ｃｈ分に対応させることができ、第１の表示状態では０ｃｈ〜１５ｃｈのチャンネル、第２の表示状態では１６ｃｈ〜３１ｃｈ、第３の表示状態では３２ｃｈ〜４７ｃｈ、第４の表示状態では４８ｃｈ〜６３ｃｈの文字がそれぞれ対応するサブ表示部１９に選択的に表示される。ここで第１〜第４の各表示状態を「ページ」と表現し、端末操作エリアＡ１に配設されているページ送り用のキーＫ６５並びにページ戻り用のキーＫ６６を操作することで４つのページが選択可能としてある。例えば、左端最上段のサブ表示部１９においては、１番目のページが選択された状態で「０ｃｈ」、２番目のページが選択された状態で「１６ｃｈ」、３番目のページが選択された状態で「３２ｃｈ」、４番目のページが選択された状態で「４８ｃｈ」とそれぞれ表示される。
【００３５】
一方、設定操作エリアＡ２には上部にメイン表示部１８が配置され、メイン表示部１８の側方と下方にそれぞれ複数のキースイッチＫ６７〜Ｋ８７が列設されている。キースイッチＫ６７は上述のモードスイッチであって、キースイッチＫ６７が操作される毎に表示操作機能部１１の機能が操作（通常）モード→設定（ＰＧ）モード→特別モードにサイクリックに切り換えられる。
【００３６】
メイン表示部１８にはモードに応じたメニューが表示され、メニュー上の項目選択をキースイッチＫ６９やキースイッチＫ７０で行い、項目選択状態でキースイッチＫ７１の操作で行うと、最終階層のメニューでない場合には次のメニューが表示され、最終階層のメニューの場合には選択項目の内容が実行される。またキースイッチＫ６８を操作すると、表示されているメニューの階層が操作の度に順次戻ることになる。
【００３７】
ここで設定モードにおいては、グループ（Ｇ）やパターン（Ｐ）に対応する負荷４を設定する編集や、編集された結果を伝送制御装置１に転送する項目が選択できる画面が表示され、編集時にはキースイッチＫ７２，Ｋ７３の操作でグループ（Ｇ）の設定或いはパターン（Ｐ）の設定が行える状態となり、キースイッチＫ７６〜Ｋ８７の操作でパターン番号やグループ番号を選択でき、この状態で割り当てたい負荷４を設定操作エリアＡ１のキースイッチＫ１〜Ｋ６４を操作することで選択できるようになっている。そして設定データを伝送制御装置１へ転送する場合には、メニュー画面で転送する項目を選択実行することで、割込信号を発生させ、伝送制御装置１による割り込み処理を経て、伝送信号Ｖｓの返信待機期間ＷＴに設定データを伝送制御装置１に返信することができるようになっている。
【００３８】
而して遠隔監視制御システムが稼働し、常時ポーリングが行われている状態において、セレクタスイッチ装置５の信号処理部２は信号線Ｌｓ上の伝送信号Ｖｓを監視しており、伝送制御装置１から制御端末器３に対応するアドレスに対するアクセスがあっても、負荷状態のデータが返信されない場合、当該アドレスの制御端末器３のどの負荷４が未接続であるかを検出し、未接続の負荷４に対応するチャンネルを表示操作機能部１１のＲＡＭ２２に格納するようになっている。
【００３９】
この格納したチャンネルは、上記設定モードにおいてパターン若しくはグループの設定を行なわれ、その際に割り当てた負荷４に対応する制御端末器３のチャンネルが上記未接続端末器に対応するものか否かをチェックする際に用いられる。
【００４０】
つまり０ｃｈ〜６３ｃｈの制御端末器３の各負荷４に対する設定内容が図３の（ａ）のような場合において、予め常時ポーリング時に検出してＲＡＭ２２に格納した未接続の負荷４のチャンネルデータ（図３（ｂ））とを比較し、未接続の負荷４がパターン制御やグループ制御の設定されている場合、図３（ｃ）に示すように当該負荷４に対して設定無しとするのである。図３では設定されたが未接続であるため、設定無しとされた負荷４のチャンネルが０−３ｃｈ、０−４ｃｈに対応するものであることを示している。
【００４１】
またセレクタスイッチ装置５にはシステムの稼働中においても、伝送制御装置１の動作プログラムのバージョンや、セレクタスイッチ装置５自体の動作プログラムのバージョンを知ることができる機能を備えている。つまりキースイッチＫ６７の操作で特別モードに切り替え、その特別モード下で伝送制御装置１のバージョン表示の項目を選択実行するか、自己のバージョン表示の項目を選択実行すればよいのである。前者の場合には、まず図４に示すようにスイッチ操作部２０から操作データを受け取った表示操作処理部３１からバージョン要求に対応してバージョン表示に割り当てたアドレスから割込信号を送出させるように信号処理部１２にデータを受け渡し、信号処理部１２はこれに応じて送受信回路１３を動作させてバージョン要求のための割込信号を信号線Ｌｓ上に送出させる。
【００４２】
この割込信号に対応して伝送制御装置１は割り込みポーリング（割込処理）を行って、セレクタスイッチ装置５からアドレスを返信させ、そのアドレスに対して割り込み要求に対応した監視データの返信を求める。これに呼応してセレクタスイッチ装置５は信号処理部１２の処理によってバージョン要求のデータを伝送制御装置１へ返信させる。伝送制御装置１はこのデータによって当該アドレスからの要求がバージョン表示の要求であることを判断し、割り込み解除をデータを伝送するとともに、動作プログラムを格納しているＲＯＭからバージョン表示データを読み出してセレクタスイッチ装置５に伝送する。
【００４３】
このバージョン表示のデータを受信したセレクタスイッチ装置５の信号処理部１２はデュアルポートＲＡＭ１４を介して表示操作処理部３１にバージョン表示のデータを受け渡し、表示操作処理部３１はこのバージョン表示のデータに基づいて伝送制御装置１のバージョンをメイン表示部１８に表示させる。
【００４４】
ここで伝送信号Ｖｓにより伝送制御装置１から伝送されるバージョン表示のデータ構成は図５に示すように伝送制御装置１であることを示すＩＤ、伝送制御装置１の品番を示す製品コード、動作プログラムのバージョン、出荷の版数を示すリリース、パリティからなり、このデータに基づいてＩＤ、バージョン、版数がメイン表示部１８で表示される。
【００４５】
後者の場合には表示操作処理部３１がプログラムメモリ２０に格納されているバージョンデータを読み出して、メイン表示部１８に表示させる。
【００４６】
このようにしてシステムの稼働中にあってもセレクタスイッチ装置５での操作で伝送制御装置１やパターン・グループ設定器５の動作プログラムのバージョンをセレクタスイッチ装置５のメイン表示部１８で表示させることができるのである。
【００４７】
【発明の効果】
請求項１の発明は、アドレスが夫々設定された複数台の操作端末器及び制御端末器が信号線に分岐接続され、信号線に接続された伝送制御装置と上記各端末器との間で時分割多重の伝送信号を授受するとともに、上記伝送制御装置に設定した上記操作端末器と上記制御端末器のアドレスの対応関係を用いることにより、上記操作端末器に設けたスイッチの操作に応じたデータを含む伝送信号を上記対応関係で規定された上記制御端末器に伝送することにより該制御端末器に接続した負荷を制御する遠隔監視制御システムに用いられ、上記対応関係として、１つのスイッチに１回路の負荷を対応付ける個別制御関係と、１つのスイッチ操作で複数回路の負荷を一斉に同じ状態に動作させるグループ制御関係及び１つのスイッチ操作で複数回路の負荷を夫々の負荷毎に設定している状態に動作させるパターン制御関係とを設定する設定手段と、設定した内容を上記伝送制御装置に上記アドレスの対応関係の設定データとして上記信号線を介して転送させる手段を備えたパターン・グループ設定器において、上記伝送制御装置が各アドレスをサイクリックに順次アクセスし、制御端末器に対するアクセス時には接続されている負荷の状態データを当該制御端末器から返信させ、当該制御端末器に対応関係のある操作端末器のアクセス時には負荷状態を表示させるための制御データを伝送制御装置から伝送する常時のポーリング動作を信号線上の伝送信号により監視し、伝送制御装置によるアクセス時に負荷状態が返信されない負荷を記憶し、パターン制御関係若しくはグループ制御関係の対象として上記設定手段で上記記憶した負荷が設定されたときに、当該負荷に対する設定を無効とするので、未接続の制御端末器の負荷を設定しても、当該設定を自動的に排除することができ、そのため未接続の制御端末器に対する伝送制御装置のアクセスが無くなり、そのため制御に要する時間に無駄がなくなり、しかもパターン制御やグループ制御の状態表示と実際の制御状態との不一致も無くなるという効果がある。
【００４８】
請求項２の発明は、請求項１の発明において、上記伝送制御装置に格納されている動作プログラムのバージョンデータを上記伝送制御装置から伝送信号により送信させる要求を出すための手段と、パターン・グループ設定器自体の動作プログラムのバージョンを読み出させる手段とを備え、バージョンデータを含む伝送信号を受信したときに若しくはパターン・グループ設定器自体の動作プログラムのバージョンを読み出したときに、パターン・グループ設定用に設けた表示部に夫々のバージョンを表示させるので、システムが稼働中にあってもパターン・グループ設定器からの操作で伝送制御装置の動作プログラムのバージョンやパターン・グループ設定器自体の動作プリグラムのバージョンを知ることができ、そのためトラブル発生の原因解析のために一々伝送制御装置を現場から取り外してバージョンを確認する必要がなくなり、トラブルの原因解解析に要する時間を短縮できるという効果がある。
【図面の簡単な説明】
【図１】本発明の一実施形態の回路構成図である。
【図２】同上の器体の正面図である。
【図３】同上の動作説明図である。
【図４】同上のバージョンデータ要求時の動作説明用流れ図である。
【図５】伝送制御装置のバージョンデータの例図である。
【図６】遠隔監視制御システムの全体構成図である。
【図７】同上に用いる伝送信号の説明図である。
【図８】同上の常時ポーリングの説明用流れ図である。
【符号の説明】
５ セレクタスイッチ装置
１０  端末機能部
１１  表示操作機能部
１２  信号処理部
１３  送受信回路
１４  デュアルポートＲＡＭ
１５  プログラムメモリ
１６  ＲＡＭ
１７  発振回路
１８  メイン表示部
１９  サブ表示部
２０  スイッチ操作部
２１  データメモリ
２２  ＲＡＭ
２３  ブザー回路
２４  圧電ブザー
２５  発振回路
２６  リセット回路
２７  トランス
２８  電源回路
２９  表示用ドライブ回路
３０  表示用ドライブ回路
３１  表示操作処理部
３２  スイッチ入力回路
【図１】
0003722022.tif 000002
【図２】
0003722022.tif 000003
【図３】
0003722022.tif 000004
【図４】
0003722022.tif 000005
【図５】
0003722022.tif 000006
【図６】
0003722022.tif 000007
【図７】
0003722022.tif 000008
【図８】
0003722022.tif 000009